(57)【要約】  ディスク型火工式ガス発生器であって、  −  拡散穴（１３）を有するハウジング（１０）と、  −  ハウジング（１０）内に配置された火工剤（２０）と、  −  ハウジング（１０）内に配置されたろ過手段（３０）と、  −  ハウジング（１０）内で火工剤（２０）とろ過手段（３０）との間に配置された閉じ込め手段（４０；４０’）と、  −  ハウジング（１０）内で火工剤（２０）と閉じ込め手段（４０；４０’）との間に配置されたドレイン手段（ｍｅａｎｓ  ｏｆ  ｄｒａｉｎａｇｅ）と、を含み、  ろ過手段（３０）は、ガス発生器の動作の開始時に閉じ込め手段（４０；４０’）の支持される部分に支持を提供するために配置されることを特徴とする、ディスク型火工式ガス発生器。【選択図】図１
2019519431.tif 000002
【特許請求の範囲】
【請求項１】
ディスク型火工式ガス発生器であって、
−  拡散穴（１３）を有するハウジング（１０）と、
−  前記ハウジング（１０）内に配置された火工剤（２０）と、
−  前記ハウジング（１０）内に配置されたろ過手段（３０）と、
−  前記ハウジング（１０）内で前記火工剤（２０）と前記ろ過手段（３０）との間に配置された閉じ込め手段（４０；４０’）と、
−  前記ハウジング（１０）内で前記火工剤（２０）と前記閉じ込め手段（４０；４０’）との間に配置されたドレイン手段と、を含み、
前記ろ過手段（３０）は、前記ガス発生器の動作の開始時に前記閉じ込め手段（４０；４０’）の支持される部分に支持を提供するために配置されることを特徴とする、ディスク型火工式ガス発生器。
【請求項２】
前記閉じ込め手段（４０；４０’）の支持されない部分が、前記ろ過手段（３０）によって残された空間の反対側にある、請求項１に記載のガス発生器。
【請求項３】
前記支持されない部分が、前記ろ過手段（３０）によって残された空間において花弁状部（４２）を形成することによって破裂するように構成される、請求項２に記載のガス発生器。
【請求項４】
前記ろ過手段（３０）の少なくとも１つの表面が、前記ハウジング（１０）の１つの壁によって支持される、請求項１〜３のうちの１つに記載のガス発生器。
【請求項５】
前記ハウジング（１０）によって支持される前記表面が、前記閉じ込め手段（４０；４０’）に支持を提供する前記ろ過手段（３０）の１つの表面の反対側に位置する、請求項４に記載のガス発生器。
【請求項６】
前記拡散穴（１３）が、前記火工剤（２０）の燃焼を制御するノズルを形成する、請求項１〜５のうちの１つに記載のガス発生器。
【請求項７】
前記ろ過手段（３０）と前記拡散穴（１３）との間に空間（ｄ）が設けられる、請求項１〜６のうちの１つに記載のガス発生器。
【請求項８】
前記空間（ｄ）が、前記ろ過手段（３０）の下流側の表面と、前記拡散穴（１３）が貫通する前記ハウジング（１０）の壁との間で設けられ、前記拡散穴（１３）の領域において少なくとも１ｍｍの厚さを有する、請求項７に記載のガス発生器。
【請求項９】
前記閉じ込め手段（４０；４０’）が漏れ止めされている前記ハウジングに接続している、請求項１〜８のうちの１つに記載のガス発生器。
【請求項１０】
前記ハウジング（１０）が、
−  前記火工剤（２０）を保持する基部（１１）と、
−  前記基部（１１）上に溶接され、その中で前記閉じ込め手段（４０；４０’）が前記ハウジング（１０）上に溶接された、前記拡散穴（１３）を有するディフューザ（１２）と、を含む、請求項１〜９のうちの１つに記載のガス発生器。
【請求項１１】
前記基部（１１）が前記ディフューザ（１２）上にイナーシャ溶接され、前記閉じ込め手段（４０；４０’）が、前記基部（１１）（または、前記ディフューザ（１２））に関して回転する割出し手段を含み、その結果、前記ディフューザ上への前記基部（１１）のイナーシャ溶接と同時に、それらは前記ディフューザ（１２）（または、前記基部（１１））にイナーシャ溶接される、請求項１０に記載のガス発生器。
【請求項１２】
前記閉じ込め手段（４０；４０’）が、金属ディスク、および、前記金属ディスクと前記ハウジング（１０）との間で漏れ止めシールを形成するように配置されたＯリングを含む、請求項１〜８のうちの１つに記載のガス発生器。
【請求項１３】
点火装置（７０）を含み、前記点火装置（７０）の側面の反対側に、および／または、前記点火装置（７０）の一端の反対側に火工剤（２０）が配置される、請求項１〜１２のうちの１つに記載のガス発生器。
【請求項１４】
前記ろ過手段（３０）が中心の凹所を特徴とし、前記ハウジング（１０）および／または前記閉じ込め手段（４０；４０’）が前記中心の凹所にフィットする心出し突起を特徴とする、請求項１〜１３のうちの１つに記載のガス発生器。
【請求項１５】
点火装置（７０）を含み、前記ハウジングが基部（１１）と、前記拡散穴（１３）を有するディフューザ（１２）とから構成される、請求項１〜１４のうちの１つに記載のディスク型火工式ガス発生器のための組立方法であって、
前記組立方法は、
−  前記基部（１１）に前記点火装置（７０）を固定することと、
−  重力によって、基部（１１）充填開口を介して前記基部（１１）に火工剤（２０）を、前記点火装置（７０）と接触するようにして、充填することと、
−  前記火工剤（２０）と前記基部（１１）充填開口との間に前記ドレイン手段を配置することと、
−  前記ドレイン手段より上に、そして、前記充填開口の領域に前記閉じ込め手段（４０；４０’）を配置することと、
−  前記閉じ込め手段（４０、４０’）の上に前記ろ過手段（３０）を配置することと、
−  前記ろ過手段（３０）が前記閉じ込め手段（４０、４０’）と前記ディフューザ（１２）の壁との間に挿入されるような仕方で、前記充填開口を前記閉じ込め手段（４０、４０’）によってブロックするように、前記ディフューザ（１２）を前記チャンバに溶接することと、を含む、組立方法。
【発明の詳細な説明】
【技術分野】
【０００１】
本発明は、一般に、インフレータ・ガスを受動的な自動車安全装置（例えば、エアバッグ）に提供することを目的とするガス発生器に関する。特に、本発明は、その中でインフレータ・ガスが推進剤の燃焼によって生成され、そして、固定されていない（ｌｏｏｓｅ）タブレット（ｔａｂｌｅｔｓ）の形で推進剤または火工剤を保持するためのディスク型ハウジングを特徴とする。
【背景技術】
【０００２】
ディスク型ガス発生器は、例えば、欧州特許公開ＥＰ２１９５２０６Ａ２で開示されたような先行技術から知られている。対照的に、この文書に示されているガス発生器は、特に、動作中の高圧に耐えることができなければならない燃焼チャンバの壁を構成する厚板を有する内部構造を特徴とし、それは、コスト、および、車両に搭載される重量を増やす。実際、この文書に示されている厚板は、ノズル（この発生器全体の最高圧である火工剤の燃焼圧を決める、発生器のガスの流れの最小断面）を保持し、したがって、この燃焼圧に耐えなければならない。更に、厚い金属シートで作られ、この文書に示されるガス発生器上にクリンプ（ｃｒｉｍｐ）されるディフューザ（ｄｉｆｆｕｓｅｒ）を考慮すると、重量とコストがかなり大きい点が指摘される。
【発明の概要】
【０００３】
本発明の１つの目的は、上記の先行技術の文書において発見される不利に対処することであり、特に、第１に、大きな部品無しで簡素な内部構造を特徴とする火工ガス発生器を提案し、また、信頼できる動作モードと、複雑なステップが無く、速い製造方法とを提案することである。
【０００４】
この目的のために、本発明の第１の態様は、ディスク型火工ガス発生器に関する。このディスク型火工ガス発生器は、
−  拡散穴を有するハウジングと、
−  ハウジング内に配置された火工剤と、
−  ハウジング内に配置されたフィルタ手段と、
−  ハウジング内で火工剤とフィルタ手段との間に配置された閉じ込め手段と、
−  ハウジング内で火工剤と閉じ込め手段との間に配置されたドレイン手段とを含み、
フィルタ手段は、少なくともガス発生器の動作の開始時に閉じ込め手段の支持される部分に支持を提供するために配置されることを特徴とする。この実施形態によって、発生器は、該閉じ込め手段がフィルタ手段によって直接支持されるように構成され、その結果、他のいかなる支持も必要でなく、このことは、ガス発生器の内部構造をより簡素に、且つ、より軽くする。実際、閉じ込め手段の機能は、火工剤の漏れを止める性質、および、発生器の点火に際して予め定められた圧力における逃がしを確実にすることのみであることである。そのように、閉じ込め手段がフィルタ手段によって支持されるので、閉じ込め手段の厚さはそれらの吹出圧を弱めることなく減じられ得る。言い換えると、フィルタ手段により提供される支持により閉じ込め手段が崩れるのを防ぐことによって、フィルタ手段は、閉じ込め手段の制御された変形および開口を確実にする。最後に、支持は少なくとも動作の開始時に（即ち、火工剤の中の内圧が点火後に増加し始める時点と閉じ込め手段が開くか、開放される時点との間で）提供される。
【０００５】
言い換えると、閉じ込め手段は、この支持無しでは到達することができなかった、予め定められた開放する／穿刺する圧力に到達することができ、閉じ込め手段は、この支持無しで到達できた開放する／穿刺する圧力より高い、予め定められた開放する／穿刺する圧力に到達することができ（フィルタ手段は圧力が印加される表面を「減らす」）、閉じ込め手段は、フィルタ手段の存在の下で穿刺する圧力に到達することができるだけであるように構成される。
【０００６】
閉じ込め手段が、ガス発生器の点火の前に火工剤を含むチャンバの漏れ止めの性質を確実にする少なくとも１つのシールを含み、このシールは、動作時間に従う完全燃焼のために火工剤の十分な初期点火を保証するに十分高い圧力で破裂することが有利である。
【０００７】
火工剤が固定されていないタブレットの堆積であることが有利である。
【０００８】
火工剤が、ガス発生器の点火装置の周囲の固定されていないタブレットの堆積であることが有利である。このことは、火工剤の点火を改善することを助け、ガス発生器を、特に軸方向に、よりコンパクトにする。この軸方向のコンパクトさは、特に、前側の、ドライバとパッセンジャーのエアバッグのために求められている。
【０００９】
閉じ込め手段の支持されない部分の寸法が、支持の働きをするフィルタ手段の寸法によって決定されるので、フィルタ手段によって閉じ込め手段に提供される支持が、ガス発生器の動作の開始時に、閉じ込め手段の支持されない部分の破裂を可能にすることが有利であり、この破裂は制御され、再現性がある。
【００１０】
閉じ込め手段の支持されない部分がディスクの形に定まるように、フィルタ手段が閉じ込め手段に冠の形で支持を提供することが有利である。そのようなディスクの形の支持されない部分は、再現可能な圧力と再現可能な破裂モードを提供する。
【００１１】
閉じ込め手段の支持されない部分が、フィルタ手段によって残された空間に向かい合う位置にあることが有利である。
【００１２】
支持されない部分が、フィルタ手段によって残される空間において花弁状部を形成することによって破裂するように構成されることが有利である。それらが破裂するとき、閉じ込め手段は、閉じ込め手段の支持される部分に付けられたままである花弁状部を形成する。したがって、遊離破片が作られず、そのことは構成部品が安全装置の方へ放出されないことを保証する。
【００１３】
フィルタ手段が中空円筒の形のフィルタであることが有利である。
【００１４】
閉じ込め手段が漏れを止めるようにしてハウジングに接続していることが有利である。
【００１５】
閉じ込め手段が、０．４ｍｍから１ｍｍの範囲内の、好適には０．４ｍｍから０．９ｍｍの範囲内の厚さを有し、更に、残厚０．３±０．０５ｍｍで目立つように十字形にマークされた部分を有することが有利である。３００ＭＰａから８００ＭＰａの範囲内の破壊強度（Ｒｍ）、および／または、１６％以上の破壊時伸び率（Ａ％）、および／または、４２０ＭＰａ以上の弾性強度（Ｒｅ）という機械的特徴が想定され得る。タイプＳ４２０ＭＣ（１．０９８０）（規格ＥＮ１０１４９‐２‐１９９６）の合金が想定され得る。したがって、そのような閉じ込め手段の破裂は、点火装置の点火の後１ｍｓから６ｍｓの間に起こる。もし、フィルタ手段が、その上に閉じ込め手段が開くために連結されている支持を確立しないならば、そのような閉じ込め手段が再現可能な方法で開くことができない点に留意されるべきである。
【００１６】
閉じ込め手段が、ハウジングの厚さの６０％未満の厚さを有し、特に、閉じ込め手段がノズルを定めている部分の厚さの６０％未満の厚さを有することが有利である。
【００１７】
閉じ込め手段が、フィルタ手段の外形寸法以上の外形寸法を有することが有利である。もし、フィルタ手段が、その上に閉じ込め手段が開くために連結されている支持を確立しないならば、そのように大きい閉じ込め手段が再現可能な方法で開くことができない点に留意されるべきである。
【００１８】
フィルタ手段の少なくとも１つの表面が、ハウジングの１つの壁によって支持されることが有利である。
【００１９】
ハウジングによって支持されるフィルタ手段の表面が、閉じ込め手段に支持を提供するフィルタ手段の１つの表面の反対側に位置することが有利である。したがって、フィルタ手段は、閉じ込め手段とハウジングとの間の機械的ブリッジとしての機能を有する。言い換えると、フィルタ手段はハウジングによって直接支持され、これにより、閉じ込め手段を支持するための力を担うためにフィルタ手段に増加された剛性を与える必要を回避する。
【００２０】
閉じ込め手段が、（例えば、フィルタ手段の下流側（または、拡散穴と向かい合う側）の表面と該拡散穴が貫通するハウジングの壁との間に空間を設けることを可能にするリブのような）位置決め手段を含むことが有利である。したがって、拡散ガスが正しく循環することを助けるべく、フィルタとディフューザの壁との間に常に空間があることを確実とするために、フィルタはリブによって位置決めされる。
【００２１】
拡散穴が、火工剤の燃焼を制御するノズルを形成することが有利である。この実施形態による発生器は、内部の制御ノズルを含まない。火工剤の燃焼は拡散穴によって制御され、このことは、内部エンクロージャ全体が一様に圧力をかけられることを意味し、大きな内部部品が特定の圧力に耐える必要がない。このことは、燃焼チャンバの内側のフィルタ手段を低ガス速度を有する領域に保っている間に火工剤を十分に点火することを確実にするのに役立ち、燃焼によって生産される小片の捕獲を最適化する。
【００２２】
各拡散穴が２．３ｍｍ２未満の拡散表面を有することが有利である。更にまた、ガス発生器の漏れ止めの性質は、拡散穴上のシールで達成されるものではなく、このことは、エアバッグまたはエアクッションへの拡散ガス噴流の攻撃性を減らすために（結果として開放圧に影響を与えること無しに）拡散穴のサイズを減らすことを助ける。
【００２３】
フィルタ手段と拡散穴との間に空間が設けられることが有利である。そのような空間は拡散穴が遮られないことを確実し、このことにより、拡散の流れに対する如何なる妨害をも回避する。したがって、平面上で独力でガス発生器を点火することから構成され、例えば、その際の動きが５ｍ未満に留まらなければならないという試験に、ガス発生器は容易に対応する。更にまた、拡散穴が遮られず、全てが同じ量のガスを放出するので、この安全装置の膨張は仕様に従う。
【００２４】
空間が、フィルタ手段の下流側の表面と、拡散穴が貫通するハウジングの壁との間に設けられ、該拡散穴の領域において少なくとも１ｍｍの厚さを有することが有利である。
【００２５】
ハウジングが以下の要素を含むことが有利である。
・火工剤を保持する基部、そして、
・基部上に溶接され、閉じ込め手段がハウジング上に溶接された、拡散穴を有するディフューザ。そのようなアセンブリは、高度に漏れを止めるシールを保護することを助ける。
【００２６】
基部がディフューザ上にイナーシャ溶接され、閉じ込め手段が、基部（または、ディフューザ）に関して回転する割出し手段（ｍｅａｎｓ  ｏｆ  ｉｎｄｅｘｉｎｇ）を含むことが有利である。その結果、このトップ部品上への基部のイナーシャ溶接と同時に、それらは該ディフューザ（または、基部）にイナーシャ溶接される。この実施形態によれば、閉じ込め手段は、他の２つの部品（基部またはディフューザ）のうちの１つに対して割出され、その結果、摩擦溶接中は閉じ込め手段は後者によって動かされ、他の部品上に摩擦溶接される。割出しインターフェース（ｉｎｄｅｘｉｎｇ  ｉｎｔｅｒｆａｃｅ）は、摩擦溶接前に、閉じ込め手段と基部またはディフューザの何れかとの間に取り外し可能または可逆な割出し（ｉｎｄｅｘｉｎｇ）を提供することを意図されている。言い換えると、ディフューザ（または、基部）上への摩擦溶接の直前に、閉じ込め手段は、製造中の中間の組立部品を作るために、基部（または、ディフューザ）の上または中に（例えば、自由に、または、力によって噛み合わせることによって、自由に、または、力によって挿入することによって、カチッと嵌めることによって（ｓｎａｐｐｉｎｇ  ｉｎｔｏ  ｐｌａｃｅ））割出される必要がある。こうして、閉じ込め手段が基部またはディフューザの何れかによって割出されるので、溶接ステップの間に基部およびディフューザのための把持具のみを必要とする可能性があるものと理解される。したがって、製造は、より簡素で、より速く、必要とする投資はより少ない。
【００２７】
閉じ込め手段が、金属ディスク、および、該金属ディスクとハウジングとの間で漏れ止めシールを形成するように配置されたＯリングを含むことが有利である。そのような実施形態は低コストである。
【００２８】
ガス発生器が点火装置を含み、該点火装置の側面に向かう側に火工剤が配置されることが有利である。このことは、ガス発生器をよりコンパクトにし、点火装置による火工剤の点火を改善する。
【００２９】
ガス発生器が点火装置を含み、火工剤が点火装置の側面に向かう側に、そして、点火装置の一端に向かう側に配置されることが有利である。
【００３０】
火工剤が点火装置と接触していることが有利である。したがって、火工剤（固定されていない推進剤タブレット）と点火装置との間にバリアも部品も提供されず、このことは、製造をより容易にする。
【００３１】
火工剤が閉じ込めエレメントから切り離されていることが有利である。ドレイン手段は、火工剤と閉じ込め手段との間に挿入される。
【００３２】
フィルタ手段が中心の凹所を特徴とし、ハウジングおよび／または閉じ込め手段が該中心の凹所にフィットする心出し突起を特徴とすることが有利である。
【００３３】
或いは、フィルタ手段は外径として外形寸法を有し、ハウジングおよび／または閉じ込め手段は、フィルタ手段がフィットする心出しレセプタクルを特徴とする。このことは、フィルタ手段と拡散穴との間に空間を確保することを助けて、ガス発生器の組立の間にフィルタ手段の如何なる動きをも避け、そして、動作の間のフィルタ手段の如何なる変形をも制限する（そのような変形はガス発生器の内側の圧力に影響を与える可能性を有する）。
【００３４】
火工剤が推進剤であり、フィルタ手段がフィルタであり、閉じ込め手段がシールであり、ドレイン手段が、空気が高度に浸透し得る、穴が開けられた、または、多孔質の構成部品であることが有利である。
【００３５】
言い換えると、本発明はディスク型火工ガス発生器に関し、以下の要素を含む。
−  拡散穴を有するハウジング、
−  ハウジング内に配置された火工剤、
−  ハウジング内に配置されたフィルタ、
−  ハウジング内の火工剤とフィルタとの間に配置されたシール、そして
−  ハウジング内で火工剤とシールとの間に配置された、穴が開けられた、または、多孔質の構成部品。
ガス発生器の動作の開始時にシールの支持される部分に支持を提供するためにフィルタが配置されることを特徴とする。
【００３６】
言い換えると、本発明はディスク型火工ガス発生器に関し、以下の要素を含む。
−  拡散穴を有するハウジング、
−  ハウジング内に配置された火工剤、
−  ハウジング内に配置されたフィルタ手段、
−  ハウジング内で火工剤とフィルタ手段との間に配置された閉じ込め手段、そして
−  ハウジング内で火工剤と閉じ込め手段との間に配置されたドレイン手段。
ガス発生器の動作の開始時に閉じ込め手段の支持される部分に支持を提供するためにフィルタ手段が配置され、ドレイン手段の上流側で測定されＰｃｏｍｂで示される燃焼圧とドレイン手段の下流側で測定されＰｄｉｆｆで示される拡散圧とが比率：
Ｐｃｏｍｂ／Ｐｄｉｆｆ ＜１．５
を守ることを特徴とする。
【００３７】
特に、燃焼圧Ｐｃｏｍｂは固定されていない火工剤の堆積中で測定され、拡散圧Ｐｄｉｆｆはフィルタ手段の内径において測定される。
【００３８】
火工剤が、内径Ｄｐの基部に含まれる固定されていない火工剤の堆積であり、火工剤の該堆積の高さＨｐと直径Ｄｐとの間の比率が
Ｈｐ／Ｄｐ < ０．７５
を示すことが有利である。
【００３９】
この実施形態は、燃焼ガスの正しい排出と火工剤の堆積の範囲内の均一な燃焼とを確実にすることを助ける。
【００４０】
フィルタ手段が、内径Ｄ１および高さＨｆを有するフィルタであり、内径Ｄ１と火工剤の堆積の直径Ｄｐとの間の比率が
Ｄ１／Ｄｐ＞０．３、および／または、Ｈｆ／Ｈｐ＞０．２５
を示すことが有利である。
【００４１】
この実施形態は、フィルタ手段の圧縮を引き起こすことなく、フィルタ手段において燃焼ガスの正しい循環を確実にすることを助ける。
【００４２】
本発明の第２の態様は、点火装置を含み、ハウジングが基部と拡散穴を有するディフューザとから形成される、本発明の第１の態様によるガス発生器のための組立方法に関する。この組立方法は、以下のステップを含む。
−  基部に点火装置を固定すること、
−  例えば、重力によって、基部充填開口を介して基部に火工剤を、点火装置と接触するようにして、充填すること、
−  火工剤と基部充填開口との間にドレイン手段を配置すること、
−  ドレイン手段より上に、そして、充填開口の領域に閉じ込め手段を配置すること、
−  閉じ込め手段の上にフィルタ手段を配置すること、
−  フィルタ手段が閉じ込め手段とディフューザの壁との間に挿入されるような仕方で、充填開口を閉じ込め手段によってブロックするように、ディフューザをチャンバに溶接すること。
【００４３】
例として提示され、添付の図によって例示され、決して制限的でない、本発明の２つの実施形態の以下の詳細な説明を理解すれば、本発明の他の特性および利点が、より明確になるであろう。
【図面の簡単な説明】
【００４４】
【図１】本発明によるガス発生器の第１の実施形態の、動作前の、断面を示す図である。
【図２】本発明によるガス発生器の第２の実施形態の、動作前の、断面を示す図である。
【図３】動作後の図１のガス発生器を示す図である。
【発明を実施するための形態】
【００４５】
図１は、ディフューザ１２にイナーシャ溶接された基部１１から作られるハウジング１０を含むガス発生器を示し、このガス発生器は拡散穴１３を含む。
【００４６】
ハウジング１０内には、点火火工剤を含むケース７１、オーバーモールディング（ｏｖｅｒｍｏｌｄｉｎｇ）７２、および、電気点火信号を受ける接続ピン７３からなる点火装置７０の周りに火工剤２０が留置される。言い換えると、ここの点火装置７０は、電気的火工点火器である。
【００４７】
固定化手段６０（例えば、発泡壁）、および、（例えば、穴開けされた金属シート５１のような）ドレイン手段が、基部１１内の火工剤２０より上に設置される。ドレイン手段は、また、金属メッシュ、または、コンパクトに詰められたワイヤから作られ得、基部１１の内径に合わせて適当に成形され得る。ドレイン手段の機能は、フィルタ手段３０の上流側で、その燃焼の間、火工剤を保持することである。このことは、火工剤の燃焼が、燃焼の間、制御されることを可能にする。実際、フィルタと接触する火工剤の動きは、該フィルタを部分的にブロックするが、このことは、ガスの流れを制限し、結果として、ガス発生器内で圧力の増加をもたらす。このことは、一般に４０ｍｍを超える直径を有するフロントで使用される発生器では望ましくない。この直径を有する発生器にとっては、圧力に対するそれらの抵抗は、発生器の全重量における余りに大きな不利益を意味する肉厚の増加を必要とする。
【００４８】
火工剤２０は固定されていない推進剤タブレットの堆積である、しかし、単一ブロックの推進剤は想定され得る。
【００４９】
フィルタ手段３０はディフューザ１２内に配置され、シール４１が、イナーシャ溶接ゾーンＳ内の基部１１と同じ領域において、ディフューザ１２に溶接される。その結果、シール４１およびイナーシャ溶接ゾーンＳは火工剤２０のための閉じ込め手段４０を形成する。シール４１はディフューザ１２上に直接溶接される金属ディスクであるので、この火工剤２０は漏れが無いようにして拡散穴１３から分離される。
【００５０】
一般的に、フィルタ手段３０は、穴を開けられた（ｐｅｒｆｏｒａｔｅｄ）シート金属から作られ自身に巻きつけられたフィルタ、圧縮され形を整えられたワイヤ、または、圧縮された金属メッシュである。図１から分かるように、フィルタ手段３０は、内径Ｄ１および外径Ｄ２を有する一般的な円環形を有し、フィルタ手段３０がシール４１に対して正しく位置付けられるようにシール４１のカウンターボア（ｃｏｕｎｔｅｒｂｏｒｅ）に挿入され、こうして、ディフューザ１２に関するフィルタ手段の最終的な位置決めを保証する。
【００５１】
こうして、ガス発生器の動作の間、エアバッグを膨らませる前に燃焼ガスがフィルタ手段３０を通って流れて拡散穴１３によって拡散されるように火工剤２０から燃焼ガスを放出するためにシール４１が破裂することが必要である。
【００５２】
この目的のために、シール４１は、フィルタ手段によって支持される部分と、内径Ｄ１の支持されない部分とを有する。
【００５３】
典型的には、シール４１は、支持されない部分において０．４から０．８ｍｍの範囲内の厚さを有し、例えば、残厚０．３±０．０５ｍｍで目立つように十字形にマークされた部分を有する。３００ＭＰａから８００ＭＰａの範囲内の破壊強度（Ｒｍ）、および／または、１６％以上の破壊時伸び率（Ａ％）、および／または、４２０ＭＰａ以上の弾性強度（Ｒｅ）という機械的特徴が想定され得る。タイプＳ４２０ＭＣ（１．０９８０）（規格ＥＮ１０１４９・２・１９９６）の鋼が想定され得る。
【００５４】
したがって、火工剤２０が点火装置７０によって点火される段階の後、圧力上昇が図３に示されるように支持されない部分においてシール４１を破裂させるまで、火工剤２０を含みシール４１で閉じられたハウジング１０のコンパートメントの圧力が上昇する。
【００５５】
実際、図３はシール４１が破裂してフィルタ手段３０の直径Ｄ１の領域において花弁状部４２を形成したことを示す。シール４１の支持される部分が支持された状態で、フィルタ手段３０が、直径Ｄ１の領域におけるシール４１の開口を押し破って作るので、シール４１の破裂は制御される。（シール４１に対する作用は圧力に直接依存するが、更に、直径Ｄ１の値に依存する。）更に、直径Ｄ１は、押し広げによって花弁状部４２が裂けることを回避する。
【００５６】
更にまた、破裂の運動学は、フィルタ手段３０の内径の下端の周囲における花弁状部４２の折り曲げまたは回転によって決定される。
【００５７】
したがって、フィルタ手段３０により提供される支持は、開放圧の値および破裂の運動学を決定し、このことは再現可能で信頼できる点火および遊離した破片の不存在を可能にする。実際、花弁状部４２はシール４１に付けられたままである。
【００５８】
シール４１とディフューザ１２の内部の上表面との間に挟まれるフィルタ３０は、閉じ込め手段（シール４１）に支持を提供するための機械的な橋を形成し、厚い金属シートを必要とすることを回避する。更にまた、動作中、燃焼ガスの圧力はシール４１をフィルタ手段３０およびディフューザ１２の内部の上表面に対して連続的に押しつける。このことは、フィルタ手段３０とディフューザ１２またはシール４１との間ででなく、フィルタ手段３０を通って燃焼ガスを流すことを強制する。
【００５９】
最後に、特に拡散穴１３の領域では、フィルタ手段３０とディフューザ１２との間に空間が設けられる点に留意されるべきである。拡散穴１３が、部分的にさえ、フィルタ手段３０によって遮られることが決してないこと、そして、全てがガスの等しい流れを拡散させることを確実にすることを、この構成は助ける。流量には不均衡がなく、このことは、ガス発生器が適所に保持されることなく独力で点火されるときの推力の解消および動きの不存在を説明する。
【００６０】
典型的には、（正面衝突の場合に乗員を保護するために車のハンドルまたはダッシュボードに組み込まれる）前部安全モジュールにおいて使用される。火工剤２０の堆積は、６．３５ｍｍの直径と１．５ｍｍから３ｍｍの間の厚さを有するタブレットの形であり得る。火工剤は、２０ＭＰａにおいて（そして、２５ＭＰａより低い圧力の如何なる場合においても）約２１ｍｍ／ｓの燃焼速度を有することができる。これらの状況では、基部１１において測定された燃焼圧Ｐｃｏｍｂは、フィルタ３０の内径Ｄ１で測定された拡散圧Ｐｄｉｆｆよりそれほど高くない。
【００６１】
基部１１の内径に比較してタブレットの堆積の高さが低いため、更に、かなりのガスの流れを可能にするフィルタ３０の内径Ｄ１のために上記の結果が得られる（燃焼ガスはタブレットの厚い層の中を流れる必要はない）。
【００６２】
少なくとも以下の構成において、本出願人は測定により比率Ｐｃｏｍｂ／Ｐｄｉｆｆが１．５未満であることを確認した。
【表１】
2019519431.tif 000003
【００６３】
したがって、本発明によるガス発生器は基部１１とフィルタ３０の内部との間で一様な圧力を有し、このことは、（最小限の圧力差が存在するときの）内力を制限する。
【００６４】
図２は、本発明によるガス発生器の第２の実施形態を提示する。第１の実施形態と同様に、イナーシャ溶接によってディフューザ１２に溶接された基部１１によってハウジング１０が形成される。しかし、ここの閉じ込め手段４０’は、拡散穴１３と火工剤２０との間の漏れ止めの障壁を確実にするために基部１１に取り付けられるシール４３およびガスケット４４を含む。シール４３は（図示されるような）接着または溶接された２つの部品から、或いは、単一の部品から形成され得る。
【００６５】
最後に、ここのドレイン手段は、第１の実施形態におけるものより厚い、穴を開けられた金属シート５２を含む。
【００６６】
第１の実施形態と同じ方法で、シール４３に支持を提供するために、フィルタ手段はディフューザ１２とシール４３との間に挟まれている。したがって、シール４３の支持されない部分は、如何なる断片も失うことなく、再現可能な圧力と再現可能な時間に、フィルタ手段３０の内径において再現可能に開くことができる。
【００６７】
第１または第２の実施形態の発生器の製造方法は、ほとんど同一である。（製造終了時にディフューザ１２に溶接されることになる）その上側の開口が点火装置７０に嵌めこまれた基部１１は、推進剤タブレットを充填するための装置の下に設置される。その結果、推進剤タブレットは、基部１１を火工剤２０で満たすように、重力によって基部１１の開口を通して基部１１に落とされ得る。したがって、固定されていない推進剤タブレットは点火装置７０の周辺に、可能ならば、上に配置される。
【００６８】
一旦推進剤タブレットが基部に充填されたならば、固定化手段６０、ドレイン手段、および、閉じ込め手段は、この順序で基部内に連続して設置され得る。そして、フィルタ手段３０が閉じ込め手段の上に配置され、それから、ディフューザ１２が溶接される。
【００６９】
第１の実施形態の場合、それが少なくとも回転するときに付けられるように、シール４１は基部１１とのフィッティング手段を備えていることが意図され、その結果、基部１１、ディフューザ１２、および、シール４１の間のイナーシャ溶接（または、摩擦溶接）が同時に起こる。
【００７０】
この製造方法は、生産ラインから離れて製造されて基部内１１に設置される組立品（ｓｕｂａｓｓｅｍｂｌｙ、例えば、タブレットを含むケース）へと推進剤タブレットを事前調整する必要がないものと理解される。むしろ、固定されていない推進剤タブレットは、基部１１の側壁および点火装置７０に接触するようにして基部１１内に直接留置され得る。したがって、製造方法は簡素であり、ガス発生器は特にタブレットのための容器を含まず、そして、タブレットと点火装置との間に空間が残されなかったので、その体積は可能な限り減じられる。
【００７１】
この説明で記述される本発明の異なる実施形態に対して、添付の請求項によって定義される本発明の範囲を越えることなく、（当業者にとって明らかな）様々の修正および／または改善がなされ得るものと理解される。特に、単独での点火器である点火装置７０が言及されているが、点火器と火工剤２０との間で火工リレー（ｐｙｒｏｔｅｃｈｎｉｃ  ｒｅｌａｙ）を使うことを想定することができる。更にまた、ドレイン手段が金属メッシュから、または、コンパクトに詰められたワイヤから製造され得る点に留意されるべきであり、このことは、動作中に、燃焼熱を捕え、この熱を、ガス発生器の外壁から遠く離して維持する機能をドレイン手段に与え、ガス発生器の外壁はプラスチックと接触していることがあり得るが、その結果、これらのプラスチックは、より少ない熱に晒される。
【図１】
2019519431.tif 000004
【図２】
2019519431.tif 000005
【図３】
2019519431.tif 000006
【国際調査報告】
2019519431.tif 000007
2019519431.tif 000008
2019519431.tif 000009
2019519431.tif 000010